(57)【要約】【課題】貯蔵室の温度を複数の温度帯に設定可能な冷蔵庫において、設定した温度帯で貯蔵室内を均一に保ちつつ温度変動を抑える。【解決手段】上面壁６、下面壁２３、左側壁２２、右側壁２、及び背面壁５１で仕切られ前面が開口する貯蔵室１６を有する断熱箱体２と、貯蔵室１６の前面を閉塞する扉１８と、貯蔵室１６に供給する冷気を生成する冷却器３４と、を備えた冷蔵庫１において、貯蔵室１６は、上面壁６、下面壁２３、左側壁２２、右側壁２、及び背面壁５１のいずれか１つの壁面に設けられた加熱手段６０と、加熱手段６０が設けられた壁面以外の壁面に設けられた蓄冷部材７０とを備える。【選択図】        図２
2018091509.tif 000002
【特許請求の範囲】
【請求項１】
上面壁、下面壁、左側壁、右側壁、及び背面壁で仕切られ前面が開口する貯蔵室を有する断熱箱体と、前記貯蔵室の前面を閉塞する扉と、前記貯蔵室に供給する冷気を生成する冷却器と、を備えた冷蔵庫において、
前記貯蔵室は、前記上面壁、前記下面壁、前記左側壁、前記右側壁、及び前記背面壁のいずれか１つの壁面に設けられた加熱手段と、前記加熱手段が設けられた壁面以外の壁面に設けられた蓄冷部材とを備える冷蔵庫。
【請求項２】
前記蓄冷部材は、前記貯蔵室において前記加熱手段が設けられた壁面以外の全ての壁面に設けられている請求項１に記載の冷蔵庫。
【請求項３】
前記扉の庫内側の壁面に蓄冷部材が設けられている請求項１又は２に記載の冷蔵庫。
【請求項４】
前記貯蔵室内に収納され、前記蓄冷部材と接触する貯蔵容器を備える請求項１〜３のいずれか１項に記載の冷蔵庫。
【請求項５】
前記蓄冷部材は、融点の異なる複数種類の蓄冷剤を備える請求項１〜４のいずれか１項に記載の冷蔵庫
【請求項６】
前記蓄冷部材は、融点の異なる複数種類の前記蓄冷剤が厚み方向に重ねて設けられている請求項５に記載の冷蔵庫。
【請求項７】
前記蓄冷部材は、壁面から前記貯蔵室内方に行くにしたがって前記蓄冷剤の融点が漸次高くなるように複数種類の前記蓄冷剤が厚み方向に重ねて設けられている請求項６に記載の冷蔵庫。
【請求項８】
複数種類の前記蓄冷剤のうち最も融点の高い蓄冷剤の体積が、他の蓄冷材より大きい請求項５〜７のいずれか１項に記載の冷蔵庫。
【請求項９】
前記蓄冷部材は、蓄冷剤と、前記蓄冷剤を収容する容器と、前記容器より熱伝導率の高い材料からなり前記容器に接触させて設けられた伝熱部とを備える請求項１〜８のいずれか１項に記載の冷蔵庫。
【発明の詳細な説明】
【技術分野】
【０００１】
本発明の実施形態は、冷蔵庫に関するものである。
【背景技術】
【０００２】
従前より、貯蔵温度を複数の温度帯に設定可能な温度切替室を備えた冷蔵庫が知られている（例えば、下記特許文献１参照）。この冷蔵庫では、冷凍サイクルの冷却器で生成した冷気をダンパ装置で調整しながら温度切替室に供給することで温度切替室を設定された温度帯になるように制御する。
【０００３】
しかしながら、設定可能な温度切替室の温度範囲が広くなると、低い温度帯に合わせて冷却器で生成する冷気温度を設定する必要があるため、温度切替室を高い温度帯に設定する場合の冷気供給量が少なくなり、温度切替室の温度分布を均一に保ちつつ温度変動を抑えることが難しい。
【先行技術文献】
【特許文献】
【０００４】
【特許文献１】特開平１０−１９７１２９号公報
【発明の概要】
【発明が解決しようとする課題】
【０００５】
そこで、貯蔵室の温度を複数の温度帯に設定可能な冷蔵庫であっても設定した温度帯で貯蔵室内を均一に保ちつつ温度変動を抑えることができる冷蔵庫を提供することを目的とする。
【課題を解決するための手段】
【０００６】
本実施形態の冷蔵庫は、上面壁、下面壁、左側壁、右側壁、及び背面壁で仕切られ前面が開口する貯蔵室を有する断熱箱体と、前記貯蔵室の前面を閉塞する扉と、前記貯蔵室に供給する冷気を生成する冷却器と、を備えた冷蔵庫において、前記貯蔵室は、前記上面壁、前記下面壁、前記左側壁、前記右側壁、及び前記背面壁のいずれか１つの壁面に設けられた加熱手段と、前記加熱手段が設けられた壁面以外の壁面に設けられた蓄冷部材とを備えるものである。
【図面の簡単な説明】
【０００７】
【図１】本発明の第１実施形態に係る冷蔵庫の断面図である。
【図２】図１の要部拡大図である。
【図３】図２のＡ−Ａ断面図である。
【図４】図１の冷蔵庫の冷凍サイクルを示す図である。
【図５】図１に示す冷蔵庫の電気構成を示すブロック図である。
【図６】本発明の第２実施形態に係る冷蔵庫の要部拡大断面図である。
【図７】本発明の第３実施形態に係る冷蔵庫の要部拡大断面図である。
【図８】本発明の第４実施形態に係る冷蔵庫の要部拡大断面図である。
【図９】本発明の第５実施形態に係る冷蔵庫の要部拡大断面図である。
【発明を実施するための形態】
【０００８】
（第１実施形態）
以下、図面に基づいて本発明の一実施形態について説明する。
【０００９】
本実施形態に係る冷蔵庫１は、図１に示すように、前面に開口する断熱箱体２を備える。断熱箱体２は、鋼板製の外箱３と合成樹脂製の内箱４との間に形成された断熱空間５に真空断熱材や発泡断熱材等の断熱材を有して構成されている。断熱箱体２は内箱４の内側に複数の貯蔵空間が設けられており、貯蔵空間が断熱仕切壁６によって上下に区画されている。
【００１０】
断熱仕切壁６の上方の空間は、冷蔵温度帯（例えば、１〜４℃）に冷却される貯蔵室であり、内部がさらに仕切壁７によって上下に区画されている。仕切壁７の上方には複数段の載置棚を設けた冷蔵室１０が設けられ、仕切壁７の下方には野菜室１２が設けられている。冷蔵室１０の背面には、冷蔵室１０内の温度を測定する冷蔵温度センサ２５が設けられている。
【００１１】
冷蔵室１０の前面開口部には、ヒンジで枢支された回動式の冷蔵室扉１１が設けられている。冷蔵室扉１１の前面にはこの冷蔵庫１を操作するための操作パネル８が配されている。操作パネル８は、不図示の操作スイッチを操作することで、各貯蔵空間の冷却強度を切り替えて設定したり、後述する温度切替室１６の温度帯を設定する。
【００１２】
野菜室１２の前面開口部は、引出し式の野菜室扉１３により閉塞されている。野菜室扉１３の庫内側には、貯蔵容器１４を保持する左右一対の支持枠が固着されており、開扉動作とともに貯蔵容器１４が庫外に引き出されるように構成されている。
【００１３】
断熱仕切壁６の下方の空間には、図２及び図３に示すように、自動製氷機を備えた製氷室１５と温度切替室１６とが断熱仕切壁２２を介して左右に併設され、その下方に断熱仕切壁２３を介して冷凍室１７が設けられている。
【００１４】
製氷室１５及び冷凍室１７は、いずれも冷凍温度帯（例えば、−１７℃以下）に冷却される。冷凍室１７の背面には、冷凍室１７内の温度を測定するための冷凍温度センサ２６が設けられている。
【００１５】
温度切替室１６は、断熱仕切壁６、２２、２３によって、冷蔵温度帯に冷却される野菜室１２と、冷凍温度帯に冷却される製氷室１５及び冷凍室１７と、断熱区画されている。温度切替室１６の背面は後述するエバカバー５１によって断熱区画されている。
また、温度切替室１６の背面には、温度切替室１６内の温度を測定するための切替室温度センサ２７が設けられている。
【００１６】
製氷室１５、温度切替室１６、及び冷凍室１７の開口部は、野菜室１２と同様、引き出し式の扉１８，１９により閉塞され、各扉１８，１９の裏面側に固着した左右一対の支持枠に貯蔵容器２０、２１、２９が保持されており、開扉動作とともに該貯蔵容器２０，２１、２９が庫外に引き出されるように構成されている。
【００１７】
冷蔵室１０及び野菜室１２の後部には、エバカバー５０で前後に仕切られた冷蔵冷却器室３２と、冷蔵室１０と冷蔵冷却器室３２とを連結するダクト３３が形成されている。冷蔵冷却器室３２には、冷蔵冷却器３０及び冷蔵ファン３１が収納されており、冷蔵冷却器３０で冷却した冷蔵冷却器室３２の空気が冷蔵ファン３１によってダクト３３を介して冷蔵室１０へ供給される。
【００１８】
また、製氷室１５、温度切替室１６、及び冷凍室１７の後部には、エバカバー５１で前後に仕切られた冷凍冷却器室３６と、製氷室１５、温度切替室１６、及び冷凍室１７と冷凍冷却器室３６とを連結するダクト３７とが形成されている。冷凍冷却器室３６には、冷凍冷却器３４及び冷凍ファン３５が収納されおり、冷凍冷却器３４で冷却した冷凍冷却器室３６の空気が冷凍ファン３５によってダクト３７を介して製氷室１５、温度切替室１６、及び冷凍室１７へ供給される。
【００１９】
冷蔵冷却器３０及び冷凍冷却器３４は、断熱箱体２の背面下部に設けられた機械室３８内に収納された圧縮機３９や凝縮器４０とともに冷凍サイクル４１を構成する。冷凍サイクル４１は、図４に示すように、高温高圧のガス状の冷媒を吐出する圧縮機３９と、圧縮機３９から吐出されるガス状の冷媒を受けて放熱液化する凝縮器４０と、凝縮器４０の出口側に設けられ冷媒流路を切り換える切替弁４２と、冷蔵冷却器３０及び冷凍冷却器３４と、これらの冷却器３０，３４のための絞り手段としての冷蔵減圧装置４３及び冷凍減圧装置４４と、逆止弁４５とを備え、これらを冷媒パイプによって配管接続することで、圧縮機３９から吐出された冷媒を循環させて冷蔵冷却器３０及び冷凍冷却器３４を冷却する。
【００２０】
冷蔵冷却器３０は冷蔵冷却器室３２内の空気と熱交換して冷気を生成する。生成された冷気は、冷蔵ファン３１の送風作用によってダクト３３を介して冷蔵室１０及び野菜室１２に導入され、これらの貯蔵室１０，１２を冷却する。冷蔵室１０及び野菜室１２を冷却し終えた冷気は、吸込口から再び冷蔵冷却器室３２に戻され冷蔵冷却器３０と熱交換して再び冷却される。
【００２１】
冷凍冷却器３４は冷凍冷却器室３６内の空気と熱交換して冷気を生成する。生成された冷気は、冷凍ファン３５の送風作用によってダクト３７を介して製氷室１５、温度切替室１６及び冷凍室１７に導入され、これらの貯蔵室１０，１２を冷却する。製氷室１５、温度切替室１６及び冷凍室１７を冷却し終えた冷気は、吸込口から再び冷凍冷却器室３６に戻され冷凍冷却器３４と熱交換して冷却される。
【００２２】
このような冷蔵庫１において、温度切替室１６は、冷凍冷却器室３６で生成された冷気が吹き出す吹出口４７の開度を変更するダンパ４６と、温度切替室１６内の空気を加熱する加熱手段６０が設けられている。温度切替室１６は、冷凍サイクル４１とともにダンパ４６と加熱手段６０を制御することで、貯蔵温度（内部温度）を複数の温度帯、例えば、−９℃〜−８℃以下の弱冷凍温度帯、−４℃〜−３℃のパーシャル温度帯、０℃〜１℃のチルド温度帯に変更可能になっている。
【００２３】
具体的には、温度切替室１６は、上面壁を構成する断熱仕切壁６と、下面壁を構成する断熱仕切壁２３と、左側壁を構成する断熱仕切壁２２と、右側壁を構成する断熱箱体２の右側壁２ａと、背面壁を構成するエバカバー５１で仕切られた空間である。温度切替室１６は、断熱仕切壁６、２２、２３、断熱箱体２の右側壁２ａ、及びエバカバー５１のいずれか１つの壁面（この例では、下面壁を構成する断熱仕切壁２３）に加熱手段６０が設けられ、その他の壁面（この例では、上面壁、左右側壁及び背面壁を構成する断熱仕切壁６、２２，断熱箱体２の右側壁２ａ及びエバカバー５１）の全てに蓄冷部材７０が設けられている。また、温度切替室１６の背面壁を構成するエバカバー５１には、吹出口４７とダンパ４６が設けられている。
【００２４】
加熱手段６０は、温度切替室１６の下面壁を構成する断熱仕切壁２３の上側面に沿わせて設けられたアルミ箔ヒータ等のシート状のヒータからなり、温度切替室１６内の空気を下方から加熱する。
【００２５】
蓄冷部材７０は、温度切替室１６の冷熱を蓄積するものであって、温度切替室１６の上面壁、左右側壁及び背面壁を構成する断熱仕切壁６、２２，断熱箱体２の右側壁２ａ及びエバカバー５１に沿わせて温度切替室１６へ向けて設けられている。各壁面に設けられた蓄冷部材７０は、形状や大きさが異なっているが基本的な構成が共通しており、融解潜熱の大きな混合物からなる蓄冷剤７２と、樹脂フォルムなどフィルム材で形成された袋状の容器７４とを備える。
【００２６】
蓄冷剤７２は、水や無機塩や食品添加物等を混合した混合物からなり、これらの混合比率を調整して融点が、温度切替室１６において設定可能な温度帯のいずれか１つの温度帯より所定温度（例えば、１〜２℃）だけ低い温度に設定されている。この例では、温度切替室１６において設定可能な温度帯のうち最も高い温度帯であるチルド温度帯より所定温度だけ低い温度（例えば、−１℃）に蓄冷剤７２の融点が設定されている。
【００２７】
袋状の容器７４は、内部に蓄冷剤７２を収容して温度切替室１６の各壁面に沿う略平板状に成形する。
【００２８】
断熱箱体２の背面上部には、冷蔵庫１の動作全般を制御する制御部２４が設けられている。制御部２４は、図５に示すように、操作パネル８、冷蔵温度センサ２５、冷凍温度センサ２６、切替室温度センサ２７などの各種センサ等から入力される信号や、ＥＥＰＲＯＭ等の不揮発性記録媒体からなるメモリ２８に記憶された制御プログラムに基づいて、冷蔵ファン３１、冷凍ファン３５、圧縮機３９、ダンパ４６、加熱手段６０などの各種電気部品を制御することで、各室を所定温度に冷却する。
【００２９】
具体的には、冷蔵温度帯の冷蔵室１０及び野菜室１２を冷却する場合には、制御部２４が、冷凍サイクル４１に設けられた切替弁４２を切り替えて冷蔵冷却器３０に冷媒が流れるようにするとともに、冷蔵ファン３１を運転させる冷蔵モードを実行する。これにより、冷蔵冷却器３０で冷却された冷蔵冷却器室３２の空気が、ダクト３３を介して冷蔵室１０及び野菜室１２に送風され、冷蔵室１０の背面に設けられた冷蔵温度センサ２５の検出温度が所定温度範囲に収まるように冷蔵室１０及び野菜室１２を冷却する。
【００３０】
製氷室１５及び冷凍室１７を冷却する場合には、制御部２４が、冷凍サイクル４１に設けられた切替弁４２を切り替えて冷媒が冷凍冷却器３４に流れるようにするとともに、冷凍ファン３５を運転させる冷凍モードを実行する。これにより、冷凍冷却器３４で冷却された空気は製氷室１５及び冷凍室１７に送風され、冷凍室１７の背面に設けられた冷凍温度センサ２６の検出温度が所定温度範囲に収まるように製氷室１５及び冷凍室１７を冷却する。
【００３１】
温度切替室１６を冷却する場合には、上記の冷凍モードの実行中にダンパ４６の開度を制御して温度切替室１６へ供給する冷気量を調整しつつ、加熱手段６０の発熱量を制御することで、温度切替室１６の背面に設けられた切替室温度センサ２７の検出温度が設定された温度帯に収まるように温度切替室１６を冷却する。
【００３２】
吹出口４７より温度切替室１６に導入された冷気は、温度切替室１６内部を冷却するとともに、温度切替室１６に設けられた蓄冷部材７０の蓄冷剤７２も冷却する。冷凍冷却器３４で生成される冷気は、蓄冷剤７２の融点よりも低い温度に冷却されているため、吹出口４７より冷気が導入されると蓄冷剤７２が凝固して冷熱を蓄熱する。一方、温度切替室１６の貯蔵温度が高くなると、蓄冷剤７２が蓄熱する冷熱を温度切替室１６に放出し冷却する。
なお、温度切替室１６を冷却する場合において、制御部２４は、冷凍モードの実行中以外にも必要に応じて加熱手段６０の発熱量を制御して温度切替室１６を加熱してもよい。
【００３３】
このような本実施形態の冷蔵庫１では、温度切替室１６の空気を加熱する加熱手段６０と温度切替室１６の冷熱を蓄積する蓄冷部材７０とが温度切替室１６を構成する壁面に設けられているため、切り替え可能な温度帯を広い温度範囲にわたって設定することができるとともに、温度切替室１６の温度分布を均一に保ちつつ温度変動を抑えることができる。
【００３４】
また、蓄冷部材７０は、温度切替室１６において加熱手段６０が設けられた壁面以外の壁面に設けられているため、加熱手段６０から発生した熱の影響を受けにくく、蓄冷部材７０と加熱手段６０との間で無駄な熱交換を防いで効率良く温度切替室１６を所定の温度帯に制御することができる。
【００３５】
しかも、本実施形態では、加熱手段６０が設けられた壁面以外の全ての壁面に蓄冷部材７０が設けられているため、温度切替室１６内部に多くの冷熱を蓄積することができ、より一層、温度切替室１６の温度分布を均一に保ちつつ温度変動を抑えることができる。
【００３６】
また、本実施形態では、加熱手段６０が温度切替室１６の下面壁を構成する断熱仕切壁２３に温度切替室１６へ向けて設けられているため、加熱手段６０によって暖められた温度切替室１６内の空気が温度切替室１６内を自然対流しやすくなり、温度切替室１６の温度分布が均一化されやすくなる。
【００３７】
また、本実施形態では、蓄冷部材７０に設けられた蓄冷剤７２の融点が、温度切替室１６において設定可能な温度帯のうち最も高い温度帯より所定温度だけ低い温度に設定されているため、複数の温度帯を切り替えて設定する場合に温度制御が困難となる高い温度帯の温度変動を抑えることができる。
【００３８】
なお、本実施形態では、温度切替室１６の下面壁を構成する断熱仕切壁２３に加熱手段６０を設ける場合について説明したが、上面壁を構成する断熱仕切壁６等、温度切替室１６を構成するいずれの壁面に加熱手段６０を設けてもよい。
【００３９】
また、本実施形態では、加熱手段６０を設けた壁面以外の全ての壁面に蓄冷部材７０を設けたが、加熱手段６０を設けた壁面以外の少なくとも１つの壁面に蓄冷部材７０を設ければよい。
【００４０】
また、温度切替室１６の壁面に設けた蓄冷部材７０は、全て同じ厚さであってもよいが、例えば、温度切替室１６の側方に設けられた貯蔵室（この例では製氷室１５）との間に仕切る断熱仕切壁２２に設ける蓄冷部材７０の厚みを他の蓄冷部材より厚く設けてもよい。
【００４１】
（第２実施形形態）
第２実施形態について、主に図６を参照しながら、第１実施形態と異なる部分を中心に説明する。なお、第１実施形態と同一の構成のものについては同一の符号を付し、その構成の説明を省略する。
【００４２】
本実施形態では、上記した第１実施形態のように温度切替室１６を構成する壁面に蓄冷部材７０を設けるとともに、温度切替室１６の前面開口部を閉塞する扉１８の庫内側の壁面１８ａにも、蓄冷剤を袋状の容器に収納してなる蓄冷部材７０と同様構成の蓄冷部材１７０が設けられている。
【００４３】
本実施形態では、温度切替室１６を構成する壁面に加え、扉１８にも蓄冷剤１７２を袋状の容器１７４に収納した蓄冷部材１７０を設けることで、温度切替室１６内部に多くの冷熱を蓄積することができ、温度切替室１６の温度分布を均一に保ちつつ温度変動を抑えることができる。
【００４４】
なお、その他の構成及び作用効果は上記した第１実施形態と同様であり、詳細な説明は省略する。
【００４５】
（第３実施形形態）
第３実施形態について、主に図７を参照しながら、第１実施形態と異なる部分を中心に説明する。なお、第１実施形態と同一の構成のものについては同一の符号を付し、その構成の説明を省略する。
【００４６】
上記した第１及び第２実施形態では、温度切替室１６内に収納された貯蔵容器２０が、扉１８を閉扉した状態で温度切替室１６に設けられた蓄冷部材７０と離れていたが、本実施形態では、図７に示すような扉１８を閉扉した状態で、エバカバー５１に設けられた蓄冷部材２７０が貯蔵容器２０の後面に接触するようになっている。
【００４７】
このような本実施形態では、蓄冷部材７０に蓄積された冷熱を効率的に貯蔵容器２０へ伝達することができ、貯蔵容器２０内を素早く設定された温度帯に冷却することができる。
【００４８】
上記した実施形態では、エバカバー５１に設けられた蓄冷部材２７０が貯蔵容器２０の後面に接触する場合について説明したが、本発明はこれに限定されず、エバカバー５１以外の壁面に設けられた蓄冷部材が貯蔵容器２０に接触してもよい。
【００４９】
なお、その他の構成及び作用効果は上記した第１実施形態と同様であり、詳細な説明は省略する。
【００５０】
（第４実施形形態）
第４実施形態について、主に図８を参照しながら、第１実施形態と異なる部分を中心に説明する。なお、第１実施形態と同一の構成のものについては同一の符号を付し、その構成の説明を省略する。
【００５１】
上記した第１〜第３実施形態では、温度切替室１６の壁面に設けられた蓄冷部材７０が、１種類の蓄冷剤７２から構成されている場合について説明したが、本実施形態では、図８に示すように、蓄冷部材３７０が融点の異なる複数種類の蓄冷剤３７２ａ、３７２ｂ、３７２ｃを有している。
【００５２】
具体的には、蓄冷部材３７０は、温度切替室１６が設定可能な温度帯毎に、それぞれの温度帯に対応する融点を有する蓄冷剤３７２ａ、３７２ｂ、３７２ｃが設けられている。
【００５３】
蓄冷剤３７２ａの融点は、温度切替室１６において設定可能な温度帯のうち最も高い温度帯であるチルド温度帯より所定温度だけ低い温度（例えば、−１℃）に設定され、蓄冷剤３７２ｂの融点は、２番目に高い温度帯であるパーシャル温度帯より所定温度だけ低い温度（例えば、−５℃）に設定され、蓄冷剤３７２ｃの融点は、最も低い温度帯である弱冷凍温度帯より所定温度だけ低い温度（例えば、−１０℃）に設定されている。
【００５４】
本実施形態の好ましい態様として、３種類の蓄冷剤３７２ａ、３７２ｂ、３７２ｃは、樹脂フォルムなどフィルム材で形成された袋状の内容器３７６ａ、３７６ｂ、３７６ｃに別個に収納され略平板状に成形されている。略平板状に成形された３種類の蓄冷剤３７２ａ、３７２ｂ、３７２ｃは、温度切替室１６を構成する壁面から温度切替室１６の内方に行くにしたがって融点が漸次高くなるように、つまり、壁面側から順に、蓄冷剤３７２ｃ、蓄冷剤３７２ｂ、蓄冷剤３７２ａの順序で厚み方向に重ねられ、この状態で樹脂フォルムなどのフィルム材で形成された袋状の容器３７４に収納されている。
【００５５】
本実施形態では、蓄冷部材２７０が融点の異なる複数種類の蓄冷剤３７２ａ、３７２ｂ、３７２ｃを有しているため、温度切替室１６が設定可能な温度帯に対応する融点を有する蓄冷剤３７２ａ、３７２ｂ、３７２ｃを設けることができる。そのため、温度切替室１６をいずれの温度帯に設定しても、温度切替室１６の内部温度が設定した温度帯より高くなると、その温度帯に対応する融点を有する蓄冷剤が融解し、そのときに生じる潜熱によって温度切替室１６を冷却することができるとともに、温度切替室１６の内部温度が設定した温度帯より低くなると、その温度帯に対応する融点を有する蓄冷剤が温度切替室１６から吸熱し、温度切替室１６の過冷却を抑えることができる。
【００５６】
また、本実施形態では、複数種類の蓄冷剤３７２ａ、３７２ｂ、３７２ｃが厚み方向に重ねて設けられているため、温度切替室１６の壁面上で位置をずらして複数種類の蓄冷剤３７２ａ、３７２ｂ、３７２ｃを配置する場合に比べて、温度切替室１６の温度分布を均一化することができる。
【００５７】
また、本実施形態では、温度切替室１６の壁面から温度切替室１６の内方に行くにしたがって融点が漸次高くなるように複数種類の蓄冷剤３７２ａ、３７２ｂ、３７２ｃを配置しており、温度切替室１６側に位置する蓄冷剤が先に融解することがないため、壁面側に位置する蓄冷剤の冷熱が温度切替室１６へ伝達するのを、既に融解した蓄冷剤よって妨げられることがない。そのため、温度切替室１６をいずれの温度帯に設定しても対応する蓄冷剤３７２ａ、３７２ｂ、３７２ｃの潜熱を効率的に利用して設定した温度帯に冷却することができる。
【００５８】
しかも、本実施形態では、複数の温度帯を切り替えて設定する場合に温度制御が困難となる高い温度帯に対応する蓄冷剤３７２ａを貯蔵容器２０に近接させて配置しているため、高い温度帯の温度変動を効果的に抑えることができる。
【００５９】
なお、本実施形態では、蓄冷部材７０を構成する複数種類の蓄冷剤３７２ａ、３７２ｂ、３７２ｃをいずれも同じ体積に設けもよいが、好ましい態様として、最も高い温度帯に対応する蓄冷剤２７２ａの体積を他の蓄冷剤より大きく設定することができる。このように、最も高い温度帯に対応する蓄冷剤３７２ａの体積を大きくすることで、温度制御が困難となる高い温度帯の温度変動をより一層抑えやすくなる。
【００６０】
なお、その他の構成及び作用効果は上記した第１実施形態と同様であり、詳細な説明は省略する。
（第５実施形形態）
第５実施形態について、主に図９を参照しながら、第１実施形態と異なる部分を中心に説明する。なお、第１実施形態と同一の構成のものについては同一の符号を付し、その構成の説明を省略する。
【００６１】
図９に示すように、本実施形態では、蓄冷部材４７０が蓄冷剤４７２を収納する容器７４に接触させ熱交換可能に設けられた伝熱部４７６を備える。
【００６２】
伝熱部４７６は、容器４７４より熱伝導率の高い材料（例えば、アルミニウム板等の金属板）で形成されたフィン状の部材であり、蓄冷剤７２を収容して略平板状に成形された容器７４から温度切替室１６の内方へ向けて突出するように設けられている。
【００６３】
温度切替室１６の上面壁及び左右側壁を構成する断熱仕切壁６，２２及び断熱箱体２の右側壁２ａに設けられた蓄冷部材４７０の伝熱部４７６は、冷蔵庫１の前後方向に沿って延びる複数の金属板が間隔を開けて設けられている。
【００６４】
このような本実施形態では、熱伝導率の高い材料で形成され伝熱部４７６が容器４７４と熱交換可能に設けられているため、吹出口４７から温度切替室１６に導入された冷気が、伝熱部４７６と接触して効率的に蓄冷部材４７０を冷却することとができる。
【００６５】
本実施形態の好ましい態様として、伝熱部４７６が、温度切替室１６に収納された貯蔵容器２０の左右側面２０ａ，２０ｂに接触したり、容器の２０の後面に接触してもよい。このような場合、蓄冷部材７０に蓄積された冷熱を効率的に貯蔵容器２０へ伝達することができ、貯蔵容器２０内を素早く設定された温度帯に冷却することができる。
【００６６】
なお、その他の構成及び作用効果は上記した第１実施形態と同様であり、詳細な説明は省略する。
【００６７】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６８】
１…冷蔵庫、２…断熱箱体、３…外箱、４…内箱、５…断熱空間、６…断熱仕切壁（上面壁）、７…仕切壁、８…操作パネル、１０…冷蔵室、１１…冷蔵室扉、１２…野菜室、１３…野菜室扉、１４…貯蔵容器、１５…製氷室、１６…温度切替室、１７…冷凍室、１８…扉、２０…貯蔵容器、２０ａ…左右側面、２２…断熱仕切壁（左側壁）、２３…断熱仕切壁（下面壁）、３０…冷蔵冷却器、３２…冷蔵冷却器室、３４…冷凍冷却器、３５…冷凍ファン、３６…冷凍冷却器室、４６…ダンパ、４７…吹出口、５１…エバカバー（背面壁）、６０…加熱手段、７０…蓄冷部材、７２…蓄冷剤、７４…容器
【図１】
2018091509.tif 000003
【図２】
2018091509.tif 000004
【図３】
2018091509.tif 000005
【図４】
2018091509.tif 000006
【図５】
2018091509.tif 000007
【図６】
2018091509.tif 000008
【図７】
2018091509.tif 000009
【図８】
2018091509.tif 000010
【図９】
2018091509.tif 000011